(57)【特許請求の範囲】
【請求項１】
槌部材と釘状をなす固定部材とを使用して、遊技機の機体の外郭をなすように縦長方形状に枠組み形成されるとともに開口前面側に遊技機構成部材用の搭載枠が開閉可能に組み付けられる外郭保持枠を、遊技場に設置された設置枠台の設置面に設置固定するための釘打ち機構であって、
前記外郭保持枠の下辺部の前面側には鉛直方向に立設された壁部が形成されているとともに、前記壁部の下面には該壁部と直角をなし、前記外郭保持枠を前記設置面に設置した際に前記設置面に接する底板が前記遊技機の裏面に向かって延設されており、
前記槌部材に衝打される槌面と、前記槌面の反対面側に形成され、前記固定部材に対する当接状態において前記槌面に対する前記槌部材の衝打時に前記固定部材を前記設置面への打ち込み方向に押圧する推面と、前記槌面から前記推面に向かって前記固定部材の打ち込み方向に沿って延びるように形成されるとともに、雄型係合部又は雌型係合部のうち何れか一方の係合部形態とされ、他方の係合部形態となる係合部との係合状態において前記槌面に対する前記槌部材の衝打時に前記設置面に向かってガイドされる被ガイド部とからなる複数種類の釘打具と、
前記外郭保持枠の前記壁部の裏面に、前記壁部の上面に開口するとともに前記固定部材の前記設置面への打ち込み方向に沿って延びるように設けられ、前記釘打具の被ガイド部と係合して当該被ガイド部を前記固定部材の打ち込み方向と交差する方向への移動を規制した状態で前記設置面に向かってガイドするガイド部と、
前記外郭保持枠の前記底部に形成され、前記壁部の裏面側における壁面からの距離が異なるように、かつ前記固定部材を挿通可能に貫通形成された複数の釘打ち用孔と、を備え、
各釘打具の前記推面には、前記固定部材の頭部に係合可能な１つの係合凹部が形成されているとともに、前記各釘打具は前記被ガイド部と前記係合凹部との離間距離が異なり、
前記各釘打具を前記ガイド部の開口から着脱可能に構成することにより、前記固定部材の打ち込み時において、前記被ガイド部と前記係合凹部との離間距離が今回の打ち込みで前記固定部材を挿通させる前記釘打ち用孔と前記壁面の距離に等しい釘打具を選択し、その選択した釘打具の被ガイド部を前記外郭保持枠の前記ガイド部に係合させて打ち込みを行う釘打ち機構。
【請求項２】
槌部材と釘状をなす固定部材とを使用して、遊技機の機体の外郭をなすように縦長方形状に枠組み形成されるとともに開口前面側に遊技機構成部材用の搭載枠が開閉可能に組み付けられる外郭保持枠を、遊技場に設置された設置枠台の設置面に設置固定するための釘打ち機構であって、
前記外郭保持枠の下辺部の前面側には鉛直方向に立設された壁部が形成されているとともに、前記壁部の下面には該壁部と直角をなし、前記外郭保持枠を前記設置面に設置した際に前記設置面に接する底板が前記遊技機の裏面に向かって延設されており、
前記槌部材に衝打される槌面と、前記槌面の反対面側に形成され、前記固定部材に対する当接状態において前記槌面に対する前記槌部材の衝打時に前記固定部材を前記設置面への打ち込み方向に押圧する推面と、前記槌面から前記推面に向かって前記固定部材の打ち込み方向に沿って延びるように形成されるとともに、雄型係合部又は雌型係合部のうち何れか一方の係合部形態とされ、他方の係合部形態となる係合部との係合状態において前記槌面に対する前記槌部材の衝打時に前記設置面に向かってガイドされる被ガイド部とからなる釘打具と、
前記外郭保持枠の前記壁部の裏面に、前記固定部材の前記設置面への打ち込み方向に沿って延びるように設けられ、前記釘打具の被ガイド部と係合して当該被ガイド部を前記固定部材の打ち込み方向と交差する方向への移動を規制した状態で前記設置面に向かってガイドするガイド部と、を備えた釘打ち機構。
【請求項３】
前記推面には、前記固定部材の頭部に係合可能であって、前記被ガイド部からの距離を異ならせた複数の係合凹部が形成されている請求項２に記載の釘打ち機構。
【請求項４】
前記ガイド部は平断面Ｔ字状に形成されたガイド溝であり、前記被ガイド部は摺動溝とリブによって前記ガイド溝に対応する断面Ｔ字状に形成されている請求項１〜請求項３のうち何れか一項に記載の釘打ち機構。
【請求項５】
前記槌面は、槌部材による衝撃を緩和する緩衝部材にて被覆されている請求項１〜請求項４のうち何れか一項に記載の釘打ち機構。
【請求項６】
請求項１〜請求項５のうち何れか一項に記載の釘打ち機構を備えた遊技機。
【発明の詳細な説明】
【０００１】
【発明の属する技術分野】
本発明は、槌部材と釘状をなす固定部材とを利用して遊技機における外郭保持枠を設置面に設置固定する際に用いられる釘打ち機構及びこの釘打ち機構を有する遊技機に関するものである。
【０００２】
【従来の技術】
従来より、パチンコ機等の遊技機においては、縦長方形状に枠組み形成された外枠が外郭保持枠とされ、この外枠の開口前面側に遊技機構成部材用の搭載枠とも称される中枠が開閉可能に組み付けられる。そして、この中枠に遊技盤、上下の球皿、打球発射装置を始め多くの遊技機構成部材が搭載セットされて、実質的な遊技機本体が構成される。
【０００３】
このような遊技機が遊技場（ホール）で用いられる場合は、通称「島」とも呼ばれる設置枠台に、まず前記外枠が固定保持される。その後、外枠に遊技機本体となる中枠が組み付けられて、以後、機表側及び機裏側から各種遊技機構成部材の組み付け作業が行われる。
【０００４】
ところで、前記設置枠台に対する外枠の固定保持手段としては、従来より釘が利用されている。即ち、外枠における上辺部と下辺部との所要部位に対して、片手で釘を所定角度（通常は、外枠（及び設置枠台）の内面に対して垂直）に保持した状態で、釘の頭部を金槌等で繰り返し叩く。このようにして、外枠を設置枠台に釘着していた。
【０００５】
【発明が解決しようとする課題】
しかしながら、上記したような従来の釘打ちによる外枠の固定保持作業においては次のような問題があった。即ち、釘を所定角度に打ち込むという作業は、幅狭である釘の頭部の同じ位置を金槌で繰り返し叩かなければならない。このとき、一方の手で釘を保持した状態で他方の手で釘を打ち込む作業は、金槌の取り扱いに慣れていないと、なかなか所望の角度に沿って真っ直ぐに打ち込むことができない。ましてや、外枠に対する釘の打ち込み箇所近傍に遊技機構成部材（例えば、スピーカ等）や、その取付枠組などが存在する場合には、スペース的にも釘の打ち込み作業の支障となる。従って、このような外枠の固定保持作業には、熟練を要し、誰もが容易に行えず、例えば釘の打ち込み作業を何度もやり直して必要以上に時間がかかってしまったり、所望の角度に釘が打ち込めないという問題があった。
【０００６】
本発明は上記問題点を解決するためになされたものであり、釘（固定部材）を所定の角度（即ち、打ち込み方向）に簡単に打ち込むことができ、遊技機における外郭保持枠を設置面に容易に設置することができる釘打ち機構及び遊技機を提供することにある。
【０００７】
【課題を解決するための手段】
上記問題点を解決するために、請求項１に記載の発明は、槌部材と釘状をなす固定部材とを使用して、遊技機の機体の外郭をなすように縦長方形状に枠組み形成されるとともに開口前面側に遊技機構成部材用の搭載枠が開閉可能に組み付けられる外郭保持枠を、遊技場に設置された設置枠台の設置面に設置固定するための釘打ち機構であって、前記外郭保持枠の下辺部の前面側には鉛直方向に立設された壁部が形成されているとともに、前記壁部の下面には該壁部と直角をなし、前記外郭保持枠を前記設置面に設置した際に前記設置面に接する底板が前記遊技機の裏面に向かって延設されており、前記槌部材に衝打される槌面と、前記槌面の反対面側に形成され、前記固定部材に対する当接状態において前記槌面に対する前記槌部材の衝打時に前記固定部材を前記設置面への打ち込み方向に押圧する推面と、前記槌面から前記推面に向かって前記固定部材の打ち込み方向に沿って延びるように形成されるとともに、雄型係合部又は雌型係合部のうち何れか一方の係合部形態とされ、他方の係合部形態となる係合部との係合状態において前記槌面に対する前記槌部材の衝打時に前記設置面に向かってガイドされる被ガイド部とからなる複数種類の釘打具と、前記外郭保持枠の前記壁部の裏面に、前記壁部の上面に開口するとともに前記固定部材の前記設置面への打ち込み方向に沿って延びるように設けられ、前記釘打具の被ガイド部と係合して当該被ガイド部を前記固定部材の打ち込み方向と交差する方向への移動を規制した状態で前記設置面に向かってガイドするガイド部と、前記外郭保持枠の前記底部に形成され、前記壁部の裏面側における壁面からの距離が異なるように、かつ前記固定部材を挿通可能に貫通形成された複数の釘打ち用孔と、を備え、各釘打具の前記推面には、前記固定部材の頭部に係合可能な１つの係合凹部が形成されているとともに、前記各釘打具は前記被ガイド部と前記係合凹部との離間距離が異なり、前記各釘打具を前記ガイド部の開口から着脱可能に構成することにより、前記固定部材の打ち込み時において、前記被ガイド部と前記係合凹部との離間距離が今回の打ち込みで前記固定部材を挿通させる前記釘打ち用孔と前記壁面の距離に等しい釘打具を選択し、その選択した釘打具の被ガイド部を前記外郭保持枠の前記ガイド部に係合させて打ち込みを行うことを要旨とする。
【０００８】
請求項２に記載の発明は、槌部材と釘状をなす固定部材とを使用して、遊技機の機体の外郭をなすように縦長方形状に枠組み形成されるとともに開口前面側に遊技機構成部材用の搭載枠が開閉可能に組み付けられる外郭保持枠を、遊技場に設置された設置枠台の設置面に設置固定するための釘打ち機構であって、前記外郭保持枠の下辺部の前面側には鉛直方向に立設された壁部が形成されているとともに、前記壁部の下面には該壁部と直角をなし、前記外郭保持枠を前記設置面に設置した際に前記設置面に接する底板が前記遊技機の裏面に向かって延設されており、前記槌部材に衝打される槌面と、前記槌面の反対面側に形成され、前記固定部材に対する当接状態において前記槌面に対する前記槌部材の衝打時に前記固定部材を前記設置面への打ち込み方向に押圧する推面と、前記槌面から前記推面に向かって前記固定部材の打ち込み方向に沿って延びるように形成されるとともに、雄型係合部又は雌型係合部のうち何れか一方の係合部形態とされ、他方の係合部形態となる係合部との係合状態において前記槌面に対する前記槌部材の衝打時に前記設置面に向かってガイドされる被ガイド部とからなる釘打具と、前記外郭保持枠の前記壁部の裏面に、前記固定部材の前記設置面への打ち込み方向に沿って延びるように設けられ、前記釘打具の被ガイド部と係合して当該被ガイド部を前記固定部材の打ち込み方向と交差する方向への移動を規制した状態で前記設置面に向かってガイドするガイド部と、を備えたことを要旨とする。
【０００９】
請求項３に記載の発明は、請求項２に記載の釘打ち機構において、前記推面には、前記固定部材の頭部に係合可能であって、前記被ガイド部からの距離を異ならせた複数の係合凹部が形成されていることを要旨とする。
【００１０】
請求項４に記載の発明は、請求項１〜請求項３のうち何れか一項に記載の釘打ち機構において、前記ガイド部は平断面Ｔ字状に形成されたガイド溝であり、前記被ガイド部は摺動溝とリブによって前記ガイド溝に対応する断面Ｔ字状に形成されていることを要旨とする。
【００１１】
請求項５に記載の発明は、請求項１〜請求項４のうち何れか一項に記載の釘打ち機構において、前記槌面は、槌部材による衝撃を緩和する緩衝部材にて被覆されていることを要旨とする。
【００１２】
請求項６に記載の発明は、遊技機は、請求項１〜請求項５のうち何れか一項に記載の釘打ち機構を備えたことを要旨とする。
【００１４】
【発明の実施の形態】
以下、本発明を本発明をパチンコ遊技機（以下、「遊技機」という）、及び同遊技機に備えられる釘打ち機構、並びにこの釘打ち機構を構成する釘打具に具体化した一実施形態を図１〜図８に従って説明する。
【００１５】
図１に略示するように、遊技機１０において機体の外郭をなす外郭保持枠としての外枠１１の開口前面側には、各種の遊技機構成部材をセットする縦長方形の中枠１２が開閉及び着脱自在に組み付けられている。また、前記中枠１２の前面側には、機内部に配置された遊技盤１３を透視保護するためのガラス枠を備えた前枠１４と上球皿１５が共に横開き状態で開閉可能に組付け整合されている。さらに、前記中枠１２の下部には下球皿１６、打球発射装置１７等が装着されている。また、外枠１１の下部中央（即ち、下辺部３３の中央）には、各種遊技状態に応じて各種音声（効果音、エラー音など）が出力されるスピーカ１８を有するスピーカボックス１９が内部に設けられている（図３参照）。
【００１６】
このような遊技機１０は、図２に示すように、遊技場に据え付けられた通称「島」とも呼ばれる設置枠台２０に複数並設されて遊技設備をなしている。設置枠台２０には、平面状の設置面２１（図３参照）にて四方を囲むことにより形成された縦長方形の設置枠２２が複数形成されている。そして、同設置枠２２に遊技機１０の外枠１１が複数の固定部材としての釘２３により設置固定されている。この釘２３は直線状に延びるように形成されている。
【００１７】
次に、前記外枠１１を設置枠２２に釘着するための釘打ち機構Ｋについて説明する。なお、外枠１１における上辺部と下辺部３３の複数の所要部位に対して、釘２３が打ち付けられているが、全ての部位が同一構成となるため、本実施形態では、外枠１１の下辺部３３における一箇所についてのみ説明する。
【００１８】
この釘打ち機構Ｋは、図３に示すように、外枠１１に対して一体に形成されたガイド部としてのガイド溝３１と釘打具３２とから構成されている。
まず、ガイド溝３１を有する外枠１１について説明する。合成樹脂製の外枠１１を構成する下辺部３３の前面側には、鉛直方向（即ち、設置面２１に対して垂直方向）に立設された壁部３４が形成されており、同壁部３４と直角をなすように底板３５が裏面側に向かって延設されている。底板３５はほぼ平板状に形成され、設置枠２２の設置面２１に対して密着している。なお、底板３５及び同底板３５に対応する設置面２１は水平にされている。
【００１９】
下辺部３３の中央に設けられたスピーカボックス１９は、底板３５の上面を半分以上に亘って覆っており、その奥行き方向の長さは底板３５の板幅とほぼ同じにされている。また、スピーカボックス１９の高さは、壁部３４の高さとほぼ同じにされている。前記底板３５におけるスピーカボックス１９の近傍位置には、複数（本実施形態では５つ）の釘打ち用孔３６が貫通形成されている。これらの釘打ち用孔３６は、「Ｗ」の文字状に配置されており、各釘打ち用孔３６はそれぞれ壁部３４の裏面側における壁面３４ａからの距離が異なっている。
【００２０】
前記壁部３４の裏面側であって、スピーカボックス１９の近傍位置にはガイド溝３１が形成されている。前記ガイド溝３１は、図４（ｂ）に示すように、収容部３１ａと、同収容部３１ａよりも溝幅が狭い開口部３１ｂとから平断面Ｔ字状に形成されている。また、ガイド溝３１（収容部３１ａ、開口部３１ｂ）は壁部３４の上面に対しても開口されており、この上面から鉛直方向に底板３５（設置面２１）に向かって同一幅で所定長さに延設されている。
【００２１】
一方、図４（ａ）及び図４（ｂ）に示すように、釘打具３２は平面視扁平状の略六面体に形成されており、硬質プラスチック等の材料で形成されている。釘打具３２の一面（図４（ａ）において上側の面）は、槌部材としての金槌４０に衝打される槌部としての槌面４１とされている。そして、この槌面４１には、緩衝部材としてのゴム板４２が貼付されている。なお、以下の説明において、槌面４１を衝打するといった場合、ゴム板４２を介して槌面４１を衝打することを示す。
【００２２】
釘打具３２における槌面４１の反対面側には突出部４４が突出形成されている。この突出部４４の先端面は推部としての推面４５とされている。そして、前記推面４５の中央部には平断面円形である釘２３の頭部２３ａに係合可能なように、断面円形に形成された係合凹部４６が凹設されている。
【００２３】
槌面４１と直交する釘打具３２の側縁部には、ガイド溝３１に対応する形状の被ガイド部としての摺動部４７が形成されている。この摺動部４７は、前記突出部４４と所定の距離を有するように位置している。摺動部４７は摺動溝４７ａとリブ４７ｂとから断面Ｔ字状に形成されている。摺動溝４７ａは、前記槌面４１及び推面４５と直角をなすと共に互いに反対側に位置する扁平面３２ａにそれぞれ形成されており、推面４５側の端部から、槌面４１側に向かって切欠き形成されている。そして、この摺動溝４７ａにより釘打具３２の側縁にはリブ４７ｂが形成されている。
【００２４】
この摺動部４７は外枠１１のガイド溝３１に係合可能になっている。即ち、前記リブ４７ｂの先端部間の距離及び摺動溝４７ａ間の距離は、ガイド溝３１における収容部３１ａの溝幅及び開口部３１ｂの溝幅にそれぞれ対応して形成されている。従って、係合関係をなすガイド溝３１と摺動部４７においては、前記ガイド溝３１が雌型係合部の係合部形態となっており、摺動部４７が雄型係合部の係合部形態となっている。前記ガイド溝３１は、壁部３４の上面に対して同一幅で延設された状態で開口されており、摺動部４７の摺動溝４７ａは切欠き形成されているため、摺動部４７はガイド溝３１に対して着脱可能になっている。
【００２５】
なお、釘打具３２の内部であって、前記摺動部４７と突出部４４の間には、推面４５側に開口した２つの空洞部４８が形成されており、前記空洞部４８は、釘打具３２の厚さ方向に並設されている。前記空洞部４８は、釘打具３２を金型で成形する際におけるひけの発生を抑制するために形成されるものであり、この空洞部４８により扁平面３２ａにひけが発生しないため、形のよい釘打具３２が成形できる。また、釘打具３２における摺動部４７の反対側の側縁部は湾曲形成されている（図４（ｂ）参照）。
【００２６】
ところで、釘打具３２の摺動部４７は外枠１１（下辺部３３）のガイド溝３１から着脱可能であるため、摺動部４７を同一形状とすることで、複数種の釘打具３２を変更使用可能としている。このため本実施形態においては、例えば図７（ａ），（ｂ）及び図８（ａ），（ｂ）に示すように、前記釘打具３２の内部に形成される空洞部４８の大きさが調整され、突出部４４と摺動部４７との離間距離が異なる釘打具３２が複数用意されている。
【００２７】
図７に示す釘打具３２は、図４に示す釘打具３２よりも空洞部４８が大きく形成され、突出部４４と摺動部４７との離間距離が長くされている。そして、図８に示す釘打具３２には、空洞部４８が設けられておらず、突出部４４と摺動部４７との離間距離が短くされている。なお、図７（ａ），（ｂ）及び図８（ａ），（ｂ）に示す釘打具３２は、図４（ａ），（ｂ）に示す釘打具３２と空洞部４８を除いては同一構成であるため、その詳細な説明は省略する。
【００２８】
次に、上記のように構成された釘打ち機構Ｋの使用状況を説明する。
まず、外枠設置者は外枠１１を設置枠台２０の設置枠２２に嵌め込み、外枠１１の下辺部３３における底板３５を設置面２１に密着させる。次いで、図３に示すように、底板３５に形成された釘打ち用孔３６に釘２３を挿通させ、仮止めする。この結果、釘２３の打ち込み時において、底板３５を打ち抜く手間が省かれるとともに釘２３の位置決めがなされ、作業の容易性が増す。
【００２９】
ところで、本実施形態では、釘打ち用孔３６は５つ設けられており、それぞれ壁部３４の壁面３４ａからの距離が異なっている。従って、複数用意される釘打具３２のうち、突出部４４と摺動部４７との離間距離が壁部３４の壁面３４ａから今回の釘２３までの距離が等しいもの（例えば、図３、図５及び図６では、図４（ａ）に示す釘打具３２が用いられている）を選択する。
【００３０】
次に、選択された釘打具３２の摺動部４７を壁部３４の上面側のガイド溝３１の開口から係入する。すると、図４（ｂ）に示すように、ガイド溝３１の収容部３１ａと摺動部４７のリブ４７ｂ、及びガイド溝３１の開口部３１ｂと摺動部４７の摺動溝４７ａとがそれぞれ係合し、摺動部４７はガイド溝３１の延びる方向（鉛直方向）に、同ガイド溝３１に沿って摺動可能になる。このとき、釘打具３２における推面４５の係合凹部４６は、釘打ち用孔３６に対向して位置する。
【００３１】
そして、図５に示すように、摺動部４７をガイド溝３１に沿って摺動させることで釘打具３２を垂下させ、釘打具３２の推面４５における係合凹部４６を釘２３の頭部２３ａに係合させて、推面４５と釘２３の頭部２３ａとを当接状態にする。このとき、釘打具３２の槌面４１は壁部３４の上面よりも上方に位置する。
【００３２】
この状態で、図６に示すように、金槌４０により釘打具３２の槌面４１を衝打すると、この釘打具３２を介して金槌４０の衝撃が推面４５に当接する釘２３に伝わる。このとき、槌面４１にはゴム板４２が貼付されているため、同ゴム板４２にて金槌４０による衝撃を緩和し、釘打具３２の槌面４１に割れが生じることを防止できる。
【００３３】
前記金槌４０にて槌面４１を繰り返し叩くと、摺動部４７がガイド溝３１に沿いながら摺動し、釘打具３２は移動しながら釘２３を設置面２１（底板３５）に向かって打つ込み方向である鉛直方向へ押圧する。
【００３４】
この打ち込み作業において、釘打具３２の移動方向はガイド溝３１によってガイド（規制）されるため、外枠設置者が金槌４０の取り扱いに慣れておらず、同じ部位を正確に繰り返し叩くことができなくても、単純に釘打具３２の槌面４１を金槌４０で繰り返し衝打するだけで、釘２３を鉛直方向に簡単に打ち込むことができる。
【００３５】
また、本実施形態では外枠１１に対する釘２３の打ち込み箇所近傍に下辺部３３において広い設置スペースを占有するスピーカボックス１９や壁部３４が配設されているが、外枠設置者は、釘打具３２を介して釘２３を打ち込む。摺動部４７の摺動溝４７ａは切欠き形成され、槌面４１まで同溝４７ａが形成されていないため、釘２３の打ち込み時において、釘打具３２の槌面４１は壁部３４（スピーカボックス１９）よりも上方に位置する。このため、釘２３の周辺の部材がスペース的に釘２３の打ち込み作業の支障となることはない。
【００３６】
また、雄型又は雌型の係合部形態とされ、共にＴ字状に形成された摺動部４７とガイド溝３１との係合関係により、釘打具３２は鉛直方向と交差する方向（水平方向）への移動が規制される。この結果、移動方向を規制するために、例えば外枠設置者が手で釘打具３２を支持して釘２３の打ち込みに伴い設置面２１（３５）に向かって移動させる必要がないため、釘２３の打ち込み作業の効率を向上させることができる。
【００３７】
さらに、釘打具３２の推面４５に釘２３の頭部２３ａの形状に対応した断面形状を有する係合凹部４６を形成したため、作業中に前記推面４５から釘２３の頭部２３ａが滑って外れることはない。このようにして、釘２３の打ち込みは簡便に完了でき、下辺部３３（外枠１１）を設置面２１に対して固定できる。
【００３８】
釘２３が打ち付けられると、釘打具３２（摺動部４７）がガイド溝３１より抜き外される。そして、壁部３４の壁面３４ａからの距離が異なる他の釘打ち用孔３６（釘２３）に対応させて、図７又は図８に示すような摺動部４７から突出部４４までの長さの異なった釘打具３２に適宜取り替えられて、再び釘２３の打ち込み作業が行われる。このようにして、ガイド溝３１からの離隔位置、即ち底板３５における釘２３の打ち込み位置を変えることができ、複数本の釘２３を近接させて外枠１１（下辺部３３）を固定したり、設置枠２２の状態に合わせて打ち込み位置を適宜選択することが可能になる。
【００３９】
従って、上記実施形態によれば、以下のような効果を得ることができる。
（１）上記実施形態では、外枠１１に、釘２３の打ち込み方向である鉛直方向に沿って延びるようにガイド溝３１を形成し、同ガイド溝３１に係合した状態で設置面２１（底板３５）に向かってガイドされる摺動部４７を釘打具３２に形成した。そして、釘打具３２の推面４５を釘２３の頭部２３ａに当接させた状態で、槌面４１を金槌４０で繰り返し衝打し、ガイド溝３１に沿って摺動する釘打具３２を介して釘２３を設置面２１に打ち付けた。このため、釘打具３２の移動方向がガイド溝３１によって規制されるため、外枠設置者が金槌４０の取り扱いに慣れておらず、同じ部位を正確に繰り返し叩くことができなくても、釘２３を鉛直方向に簡単に打ち込むことができ、外枠１１を設置面２１に容易に設置することができる。
【００４０】
また、釘２３を打ち込む際には、従来と異なり、金槌４０と釘２３の間に釘打具３２が介在されることになり、釘打具３２の槌面４１は壁部３４の上面よりも上方に位置するため、スペース的に釘２３の打ち込み作業の支障となることはなく、簡便に打ち込み作業ができる。
【００４１】
（２）上記実施形態では、摺動部４７を摺動溝４７ａとリブ４７ｂとで、雄型係合部の係合部形態をなすようにＴ字状に形成し、ガイド溝３１を収容部３１ａと開口部３１ｂとで、雌形係合部の係合部形態をなすようにＴ字状に形成した。このため、摺動部４７とガイド溝３１との係合状態では、釘打具３２は鉛直方向と交差する方向（即ち、水平方向）への移動が規制され、必ず鉛直方向へ移動する。従って、外枠設置者が、例えば移動方向を規制するために手で釘打具３２を支持して、釘２３の打ち込みに伴い設置面２１（底板３５）に向かって移動させる必要がなく、釘２３の打ち込み作業の効率を向上させることができる。
【００４２】
（３）上記実施形態では、釘打具３２の推面４５に釘２３の頭部２３ａに対応した断面形状を有する係合凹部４６を形成した。このため、作業中に釘打具３２の推面４５から釘２３の頭部２３ａが滑って外れることはない。
【００４３】
（４）上記実施形態では、ガイド溝３１を壁部３４の上面に対して開口するように形成し、摺動部４７の摺動溝４７ａを推面４５側から槌面４１側に向かって切欠き形成して、ガイド溝３１から摺動部４７を着脱可能な構成にした。このため、摺動部４７から突出部４４までの長さの異なった釘打具３２を適宜取り替えて使用することができる。また、これに伴い複数本の釘２３を近接配置して外枠１１（下辺部３３）を固定したり、設置枠２２（設置面２１）の状態に合わせて打ち込み位置を適宜選択できる。
【００４４】
（５）上記実施形態では、槌面４１にゴム板４２を貼付したため、同ゴム板４２にて金槌４０による衝撃を緩和し、槌面４１の割れ等を防止できる。
（６）上記実施形態では、底板３５に釘２３を仮止めするための釘打ち用孔３６を設け、釘打具３２の摺動部４７がガイド溝３１に係合する際に、推面４５の係合凹部４６が前記釘打ち用孔３６に対向するようにした。このため、釘打ち用孔３６に仮止めされた釘２３に対して係合凹部４６を確実に係合でき、また、釘２３を仮止めすることで、釘２３の打ち込み時において底板３５を打ち抜く手間を省き、釘打ち用孔３６にて位置決めすることにより釘２３の打ち込み作業をより簡単にできる。
【００４５】
なお、上記実施形態は以下のような別例に変更して具体化してもよい。
・上記実施形態では、釘打具３２の推面４５に１つの係合凹部４６を形成し、釘打具３２を適宜交換することで、異なる位置に配置される釘２３の頭部２３ａに前記係合凹部４６を係合するようにしていたが、図９（ａ）及び図９（ｂ）に示すように変更してもよい。即ち、図４に示す釘打具３２よりもその推面４５の面積が広くなるように、突出部４４を形成する。そして、釘打具３２の摺動部４７が外枠１１のガイド溝３１に係合した際に、底板３５に設けられた各釘打ち用孔３６に対向するように、前記推面４５に係合凹部４６を５つ「Ｗ」字状の配置構成となるように形成する。このようにすれば、壁面３４ａからの距離が異なる釘２３の位置に対応させて釘打具３２を交換する必要がなくなるため、複数の釘打具３２を用意しなくて済み、コスト低減を図ることができる。
【００４６】
・上記実施形態では、釘２３の打ち込み方向を鉛直方向として具体化したが、設置面２１に対して傾斜する方向に打ち込む態様にしてもよい。また、設置面２１及び底板３５を傾斜させて形成し、釘２３を前記設置面２１と直角する方向に打ち込む態様に具体化してもよい。
【００４７】
・上記実施形態では、外枠１１における底板３５には、釘２３を仮止めするための釘打ち用孔３６を貫通形成したが、同釘打ち用孔３６を設けなくてもよい。・上記実施形態では、釘打具３２の槌面４１にゴム板４２を設けたが、ゴム板４２に限らず他の弾性部材を始め、金槌４０による衝撃を緩和するものであれば他の部材を用いてもよい。また、釘打具３２における釘２３と当接する部位である係合凹部４６にゴム板を設けて、釘２３の頭部２３ａと係合凹部４６との間で発生する金槌４０による衝撃の緩和を図ってもよい。
【００４８】
・上記実施形態では、釘打具３２における摺動部４７の摺動溝４７ａを切欠溝とし、ガイド溝３１を同一幅で壁部３４の上面まで開口させ、前記摺動部４７及びガイド溝３１を着脱可能に構成したが、摺動部４７の推面４５側の端部及び、ガイド溝３１の壁部３４の上面に対する部位に互いに係止可能な係止片を設ける等して、ガイド溝３１から摺動部４７を離脱不能にする構成を採用してもよい。
【００４９】
・上記実施形態では、釘打具３２の推面４５に釘２３の頭部２３ａが係合する係合凹部４６を形成したが、推面４５を平面状に形成してもよい。
・上記実施形態では、外枠１１に雌形係合部形態をなすガイド溝３１を形成し、釘打具３２に雄型係合部形態をなす摺動部４７を形成したが、外枠１１に雄型係合部形態をなす断面Ｔ字状のガイド突部を突設し、釘打具３２に雌形係合部形態をなす断面Ｔ字状の係合溝を形成してもよい。このようにした場合、前記ガイド突部がガイド部に相当し、係合溝が被ガイド部に相当する。
【００５０】
・上記実施形態では、釘打具３２の摺動部４７を、摺動溝４７ａとリブ４７ｂとで断面Ｔ字状になるように形成していたが、摺動部４７を断面Ｌ字状に形成してもよいし、リブ４７ｂに相当する部位を断面円形に形成してもよい。このようにした場合は、ガイド溝３１の収容部３１ａもそれに対応した形状にされる。
【００５１】
・また、摺動部４７及びガイド溝３１をＴ字状に形成せずに、単にガイド溝３１を壁面３４ａに対して凹設して、そこに釘打具３２の側面をスライドさせる態様でもよい。さらに、壁部３４にガイド溝３１を設けず、壁面３４ａをガイド部として、釘打具３２の側面を当接させてスライドさせる態様でもよい。これらのようにした場合、外枠設置者は、釘打具３２がガイド溝３１又は壁面３４ａにガイドされるように釘打具３２を保持する必要がある。また、釘打具３２の側面が被ガイド部に相当する
・上記実施形態では、釘打具３２を衝打する槌部材として金槌を用いたが、木槌でもよいし、物を打ち叩く他の工具を用いてもよい。
【００５２】
・上記実施形態では、ガイド溝３１は外枠１１の壁部３４に一体に形成されていたが、ガイド溝３１を設けた部材を外枠１１とは別に形成し、その部材を外枠１１に対して設置する構成にしてもよい。
【００５３】
・上記実施形態では、釘打具３２を硬質プラスチックで形成したが金属で形成してもよい。
・上記実施形態では、設置枠２２に外枠１１を設置固定するために、直線状に延びる釘２３を使用したが、コ字状をなす釘部材や先端が尖り釘状をなすネジ等を代わりに用いてもよい。この場合、前記釘部材やネジが固定部材に相当する。
【００５４】
次に、上記実施形態及び各別例から把握できる技術的思想について以下に記載する。
（１）前記推部における係合凹部は、前記被ガイド部が外郭保持枠側のガイド部にガイドされる際に、外郭保持枠に予め形成された固定部材を挿通するための釘打ち用孔に対向するように配置されている。
【００５５】
（２）前記ガイド部は、平面状をなす設置面と直交する方向に沿って延びるように設けられている。なお、上記実施形態では、鉛直方向が設置面と直交する方向に相当する。
【００５６】
【発明の効果】
以上詳述したように、本発明によれば、釘状をなす固定部材を所定の打ち込み方向に簡単に打ち込むことができ、遊技機における外郭保持枠を設置面に容易に設置することができる。
【図面の簡単な説明】
【図１】パチンコ遊技機の外観を示す正面図。
【図２】設置枠台を示す正面図。
【図３】釘打ち機構を示す斜視図。
【図４】（ａ）は釘打具を示す正面図、（ｂ）は釘打ち機構を示す平断面図。
【図５】釘の打ち込みが実施される際の釘打ち機構を示す斜視図。
【図６】釘の打ち込みが実施される際の釘打ち機構を示す斜視図。
【図７】（ａ）は空洞部の大きさが異なる釘打具を示す正面図、（ｂ）はその平断面図。
【図８】（ａ）は空洞部の大きさが異なる釘打具を示す正面図、（ｂ）はその平断面図。
【図９】（ａ）は別例における釘打具を示す正面図、（ｂ）は同じくその平断面図。
【符号の説明】
Ｋ…釘打ち機構、１０…遊技機、１１…外枠（外郭保持枠）、２１…設置面、２３…釘（固定部材）、２３ａ…頭部、３１…ガイド溝（ガイド部）、３２…釘打具、４０…金槌（槌部材）、４１…槌面（槌部）、４２…ゴム板（緩衝部材）、４５…推面（推部）、４６…係合凹部、４７…摺動部（被ガイド部）。
【図１】
0004046960.tif 000002
【図２】
0004046960.tif 000003
【図３】
0004046960.tif 000004
【図４】
0004046960.tif 000005
【図５】
0004046960.tif 000006
【図６】
0004046960.tif 000007
【図７】
0004046960.tif 000008
【図８】
0004046960.tif 000009
【図９】
0004046960.tif 000010